(57)【要約】【課題】浮体式太陽光発電設備用架台装置を提供する。【解決手段】本発明は、載置枠１と、複数の環状浮体２とを含む浮体式太陽光発電設備用架台装置１０である。載置枠１は、硬質材料で作られ、水平方向の外枠部１１を備え、外枠部１１の中央を通るように連結杆１２が設けられ、外枠部１１から下向きに複数の長尺状の接合柱１３が設置される。載置枠１にはさらに浮体式太陽光発電設備用架台装置の浮力を調整できる調整部１４が設けられる。複数の環状浮体２は、浮力のある中空円環体であり、中央に接合柱１３を挿通できる嵌め込み孔２１を有し、上下に並べられた各一群の環状浮体として接合柱１３を嵌め込ませ、載置枠１に鉛直方向の浮力を持たせて水域に浮かせ、また各一群の環状浮体の間に水が流れる間隔を有する。これにより、優れた浮上安定性および生態系を維持する効果を奏する。【選択図】図１
2021514888.tif 000002
【特許請求の範囲】
【請求項１】
硬質材料で作られ、水平方向の外枠部を備え、前記外枠部の中央を通るように連結杆が設けられ、前記外枠部から下向きに複数の長尺状の接合柱が設置される載置枠と、
浮力のある中空円環体であり、中央に前記接合柱を挿通できる嵌め込み孔を有する複数の環状浮体であって、上下に並べられた各一群の環状浮体として各前記接合柱を嵌め込ませ、前記載置枠に鉛直方向の浮力を持たせて水域に浮かせる複数の環状浮体とを含み、
前記複数の環状浮体は、各前記一群の環状浮体の間に水が流れる間隔を有することを特徴とする、浮体式太陽光発電設備用架台装置。
【請求項２】
前記載置枠には、前記浮体式太陽光発電設備用架台装置の浮力を調整できる調整部が設けられていることを特徴とする、請求項１に記載の浮体式太陽光発電設備用架台装置。
【請求項３】
前記調整部は、前記外枠部の中心位置において前記連結杆に設けられ、前記連結杆から下方に延びる中空体を備え、中央に収容室を有し、また充填口を備えることを特徴とする、請求項２に記載の浮体式太陽光発電設備用架台装置。
【請求項４】
前記調整部の前記充填口は、流体を前記収容室内に充填するために用いられることを特徴とする、請求項３に記載の浮体式太陽光発電設備用架台装置。
【請求項５】
離間した２つの前記浮体式太陽光発電設備用架台装置を連結するための少なくとも１つの連結枠をさらに含み、前記連結枠が２つの前記浮体式太陽光発電設備用架台装置の間に水平に配置されることを特徴とする、請求項１に記載の浮体式太陽光発電設備用架台装置。
【請求項６】
前記連結枠は、少なくとも２本の平行な連結杆を備え、前記連結杆の両端に各々２つの前記浮体式太陽光発電設備用架台装置の前記外枠部と連結する接合部を有することを特徴とする、請求項５に記載の浮体式太陽光発電設備用架台装置。
【請求項７】
前記載置枠の前記外枠部は、正六角形体であり、前記連結枠が前記載置枠の前記外枠部の形状に対応する正六角形フレーム部を備え、中央に補強用の連結杆が設けられ、前記連結枠の前記正六角形フレーム部の一辺が１つの前記浮体式太陽光発電設備用架台装置の前記載置枠の前記外枠部の一辺と結合してアレイ構造を形成することを特徴とする、請求項５に記載の浮体式太陽光発電設備用架台装置。
【請求項８】
前記浮体式太陽光発電設備用架台装置はさらに連結部材を含み、
前記載置枠の前記外枠部は、複数の横枠体を備え、前記載置枠の前記連結杆は複数であり、各前記横枠体および各前記連結杆は端部に嵌め込み孔を有し、
前記接合柱は上方にネジ部を有し、
前記連結部材は硬質材料で作られ、組み付け部と、前記組み付け部から径方向に沿って放射状に延びる複数の挿着部とを備え、前記組み付け部を上下に貫通するネジ穴が前記組み付け部に設けられることで、各前記挿着部が前記横枠体または前記連結杆のいずれかの端部の前記嵌め込み孔に挿嵌され、前記ネジ穴を前記接合柱に螺合させることを特徴とする、請求項１に記載の浮体式太陽光発電設備用架台装置。
【請求項９】
前記連結部材は、金属で作られ、前記連結部材の前記挿着部の表面は高分子材料の被覆層で覆われることを特徴とする、請求項８に記載の浮体式太陽光発電設備用架台装置。
【請求項１０】
前記挿着部に内方に凹入した位置決め溝が設けられ、前記横枠体または前記連結杆のいずれかの前記嵌め込み孔を前記挿着部に嵌め込んだ後、前記横枠体が前記位置決め溝の位置において前記位置決め溝を凹ませて結合させることができることを特徴とする、請求項９に記載の浮体式太陽光発電設備用架台装置。
【発明の詳細な説明】
【技術分野】
【０００１】
本発明は、水域に浮かべられ、優れた安定性および経済的利益を有する浮体式太陽光発電設備用架台装置に関する。
【背景技術】
【０００２】
太陽光発電産業は、環境汚染を減らす新エネルギー産業である。一般的に太陽光発電装置は、主にソーラーパネルを利用して太陽光のエネルギーを受け取り、電気エネルギーに変換するためのもので、直射日光の多い地域に位置する。しかしながら陸上の面積は限られていて土地代も高いため、太陽光発電を実施するとコストが増えるという欠点がある。
【０００３】
直射日光が多い地域の面積を増やすため、現在養魚池、池、湖などに太陽光発電装置が設置されるようになっている。これらの太陽光発電装置は水面に設けられた架台を備え、ソーラーパネルが架台の上方に組み付けられ、日光に当たって発電する。架台にも様々なタイプがある。
例えば特許文献１の「浮体式太陽光発電システム」は水平方向に十字に接続される複数のブロック状ブイを備え、これらに太陽光発電システムを設置可能な支持枠が設けられている。
また例えば特許文献２の「浮体式ソーラーパネル固定構造」は水平方向、垂直方向に連結できる複数のブロック状ブイを備え、これらに直接ソーラーパネルが設置されている。さらに特許文献３、４の「ソーラーパネル支持構造」は長尺状ブイを備え、これらに支持枠およびソーラーパネルが設けられており、太陽光発電装置がブイによって水上に浮かべられ、太陽光に照らされて発電する。
【０００４】
上記の仕組みは、水域面積を利用して太陽光発電装置用地を提供できるが、以下のような欠点がある。
１．ブロック状または長尺状ブイは、十分な浮力を得るためにブイ自体の占有面積を増やす必要がある。しかし、大きな面積を占拠すると、各ブイと水面との接触面が大きくなり、その直下の日光利用可能率が低くなる。さらに、ブイ自体が水面の大面積を覆い、その直下への日光照射、気体流れを遮蔽し、水域の溶存酸素量を減らすため、自然の生態系に悪影響を与える。したがって水域面積を利用して発電を可能とする反面、水産養殖に害を及ぼすおそれもある。
２．ブイは一般的に硬質ＨＰＤＥ高密度ポリエチレンで作られるためコストが高く、また長期にわたる紫外線暴露には耐えられず、通常５年間使用すると損傷しやすくなる。よって太陽光発電システムの投資費用を回収することができない。
３．ブイが破損して内部に水が入った時に修復しにくく、補修するのに不便である。
４．ブイから成る装置は、例えば台風などの外的要因がある時または設置された水域の波が大きい時には、水面の高さの全体的な変動量が大きくなり、組付けられたソーラーパネルの安定性に影響を与える。
５．水域において、干ばつまたはその他の要因によって水がなくなった時、硬質のブイが水域の底面に着地後、ブイが上方に設置されたソーラーパネルまたはフレームの重量を直接受けることになり、容易に損傷するおそれがある。また、干上がった池などの底面は一般的に平面ではないため、ブイおよび上方に設置されたソーラーパネルが重力を受けて変形するおそれがある。
【０００５】
現在までに、池などの底面に設置可能な固定柱を備え、固定柱の上方にフレームおよびソーラーパネルを設置することで、太陽光発電装置用地を提供する別の構造も提案されている。しかし、この構造では、水面の高さの変化に応じた調整ができないため、水位が低くなった時にソーラーパネルおよびフレームと水面との距離が大きくなりすぎると、強風が水面から吹き上がった場合、ソーラーパネルおよびフレームが破損したり落下したりしやすくなる。また水位が高すぎるとソーラーパネルが浸水して損傷する原因になる。また各ユニットに複数の固定柱を配置しなければならず、かつ一般的に防水加工を施す必要があるため、施工上の不便さが生じるおそれがある。
【先行技術文献】
【特許文献】
【０００６】
【特許文献１】台湾特許第ＴＷＩ５４５８８７号
【特許文献２】台湾特許第ＴＷＭ５３７６５２号
【特許文献３】台湾特許第ＴＷＭ５１１６０３号
【特許文献４】台湾特許第ＴＷＭ５３９０３４号
【発明の概要】
【発明が解決しようとする課題】
【０００７】
ところで本発明は、環境に配慮し、かつ安定性に優れ、容易に設置可能な浮体式太陽光発電設備用架台装置を提供することを目的とする。
【課題を解決するための手段】
【０００８】
本発明では、上記目的を達成するために、次の技術的手段を講じる。本発明の浮体式太陽光発電設備用架台装置は、載置枠と、複数の環状浮体とを含む。前記載置枠は、硬質材料で作られ、水平方向の外枠部を備え、前記外枠部の中央を通るように連結杆が設けられ、前記外枠部から下向きに複数の長尺状の接合柱が設置される。複数の環状浮体は、浮力のある中空円環体であり、中央に接合柱を挿通できる嵌め込み孔を有し、上下に並べられた各一群の環状浮体として接合柱を嵌め込ませ、載置枠に鉛直方向の浮力を持たせて水域に浮かせる。複数の環状浮体は、各前記一群の環状浮体の間に水が流れる間隔を有する。
【０００９】
さらに好ましくは、前記載置枠には、浮体式太陽光発電設備用架台装置の浮力を調整できる調整部が設けられている。
【００１０】
さらに好ましくは、前記調整部は、外枠部の中心位置において連結杆に設けられ、連結杆から下方に延びる中空体を備え、中央に収容室を有し、また充填口を備える。
【００１１】
さらに好ましくは、前記調整部の充填口は、流体または各種物体を収容室内に充填するために用いられ、浮力を大きくして浮体式太陽光発電設備用架台装置の浮力を調整し、設置可能な太陽光発電装置の重量を増やすことができる。
【００１２】
さらに好ましくは、離間した２つの浮体式太陽光発電設備用架台装置を連結するための少なくとも１つの連結枠をさらに含み、前記連結枠が２つの浮体式太陽光発電設備用架台装置の間に水平に配置される。
【００１３】
さらに好ましくは、前記連結枠は、少なくとも２本の平行な連結杆を備え、前記連結杆の両端に各々２つの浮体式太陽光発電設備用架台装置の外枠部と連結する接合部を有する。
【００１４】
さらに好ましくは、前記載置枠の外枠部は、正六角形体であり、前記連結枠が載置枠の外枠部の形状に対応する正六角形フレーム部を備え、中央に補強用の連結杆が設けられ、前記連結枠の六角形フレーム部の一辺が１つの浮体式太陽光発電設備用架台装置の載置枠の外枠部の一辺と結合してアレイ構造を形成する。
【００１５】
さらに好ましくは、浮体式太陽光発電設備用架台装置はさらに連結部材を含み、前記載置枠の外枠部は、複数の横枠体を備え、載置枠の連結杆は複数であり、各横枠体および各連結杆は端部に嵌め込み孔を有し、前記接合柱は上方にネジ部を有し、連結部材は硬質材料で作られ、組み付け部と、組み付け部から径方向に沿って放射状に延びる複数の挿着部とを備え、前記組み付け部を上下に貫通するネジ穴が前記組み付け部に設けられることで、各前記挿着部が横枠体または連結杆のいずれかの端部の嵌め込み孔に挿嵌され、ネジ穴を接合柱に螺合させることで、組立時の利便性および安定性に優れ、本発明の載置枠の外枠部に組立時の優れた利便性および堅牢性を持たせる。
【００１６】
さらに好ましくは、前記連結部材は、金属で作られ、前記連結部材の挿着部の表面は高分子材料の被覆層で覆われる。
【００１７】
さらに好ましくは、前記挿着部に内方に凹入した位置決め溝が設けられ、枠体または連結杆のいずれかの嵌め込み孔を挿着部に嵌め込んだ後、横枠体が位置決め溝の位置において位置決め溝を凹ませて結合させることができる。
【発明の効果】
【００１８】
上記の技術的手段を講じた本発明の浮体式太陽光発電設備用架台装置の上には、太陽光発電装置を設置することができる。また、本発明の環状浮体としては廃タイヤが使用できるため、廃棄物を再利用して循環経済効果を得ることができる。さらに、接合柱を介して複数の環状浮体を垂直に設置して鉛直方向の浮力を形成することで、載置枠と水面との間に従来型のブイを水平に並べて形成した、水平方向の浮力方式を用いた場合よりもはるかに大きい間隔距離を持たせ、一部の日光が水面を照らすことができ、かつ水面の上方の換気を良くすることで溶存酸素量を確保してその水域に良好な自然環境を保たせることができ、水産養殖に有利になる。前記環状浮体は中央の嵌め込み孔に接合柱を嵌め込むことで組み付けることができ、組み立てが簡単である。本発明は、発電需要および水域の面積に応じて、連結枠により複数の架台を結合してアレイ構造を形成できる。すなわち、複数の浮体式太陽光発電設備用架台装置および複数の連結枠から成るアレイ構造を形成して水面に浮かぶことで、各浮体式太陽光発電設備用架台装置の安定性および耐波性を大幅に向上できる。
【図面の簡単な説明】
【００１９】
【図１】本発明の実施例１に係る浮体式太陽光発電設備用架台装置の分解斜視図である。
【図２】本発明の実施例１に係る浮体式太陽光発電設備用架台装置の組立斜視図である。
【図３】本発明の実施例１上に太陽光発電装置が水域に設置された様子を示す断面図である。
【図４】本発明の実施例１の架台を降下させた様子を示す断面図である。
【図５】本発明の実施例１の別の浮体式太陽光発電設備用架台装置を降下させた様子を示す断面図である。
【図６】本発明の実施例２に係る浮体式太陽光発電設備用架台装置および連結枠の分解斜視図である。
【図７】本発明の実施例２に係る浮体式太陽光発電設備用架台装置と連結枠がアレイに組み合わされている様子を示す平面図である。
【図８】本発明の実施例２に係る浮体式太陽光発電設備用架台装置と連結枠がアレイに組み合わされて水域に設置された様子を示す断面図である。
【図９】本発明の実施例３に係る正六角形の浮体式太陽光発電設備用架台装置および連結枠の分解斜視図である。
【図１０】本発明の実施例３に係る正六角形の浮体式太陽光発電設備用架台装置と連結枠がアレイに組み合わされている様子を示す平面図である。
【図１１】本発明の実施例４に係る載置枠の外枠部の部分的分解斜視図である。
【図１２】本発明の実施例４に係る載置枠の外枠部の部分的組立斜視図である。
【図１３】本発明の実施例４の図１１の部位Ａ−Ａ線断面図である。
【図１４】本発明の実施例４に係る別の連結部材の模式的斜視図である。
【図１５】本発明の実施例４に係る載置枠の組立および環状浮体を設置した様子を示す斜視図である。
【図１６】本発明の実施例４が水域に設置された様子を示す断面図である。
【図１７】本発明の実施例４が水域に設置されて高さを調整した様子を示す断面図である。
【発明を実施するための形態】
【実施例１】
【００２０】
図１から図３を参照する。本発明の実施例１に係る浮体式太陽光発電設備用架台装置１０（以下、架台１０と略す）は、その上に太陽光発電装置３を設置することができる。前記架台１０は、載置枠１と、複数の環状浮体２とを含み、前記載置枠１が金属または他の硬質材料で作られ、水平方向の外枠部１１を備え、補強およびソーラーパネル３と関連の発電装置の組み付けを提供する作用を有する。前記外枠部１１の中央を通るように連結杆１２が設けられ、また前記外枠部１１に４本の長尺状の接合柱１３が下向きに設置される。各接合柱１３は、外枠部１１の端隅に適度な間隔で均等に設けられており、外枠部１１の中心位置において連結杆１２に架台の浮力を調整できる調整部１４が下向きに配置される。前記調整部１４は連結杆１２から下方に延びる柱体１４１を備え、柱体１４１を中空体１４２に外嵌する。前記中空体１４２は中央に収容室１４３を有し、また充填口１４４を備え、充填口１４４から収容室１４３に気体、水などの流体または砂あるいはほかの物体を充填できる。
【００２１】
環状浮体２は、浮力のある中空円環体であり、中央に接合柱１３を挿通できる嵌め込み孔２１を有する。前記環状浮体２は、廃ゴムタイヤ（例えば、トラック、バイクなどのタイヤのタイヤチューブ）であってもよく、同じ接合柱１３に複数の環状浮体２を嵌め込ませると共に、各環状浮体２が上下に並べられて密着させ鉛直方向の浮力支持を形成する。本実施例の同じ接合柱１３に５個の環状浮体２が設けられ、各環状浮体２が上下に密着させられる。下部の環状浮体２の底面が接合柱１３の底端よりも低く、また各垂直に並べられた環状浮体２の間に水４１が流れる間隔を有し、水中生態系への影響を避けることができる。
【００２２】
本発明の架台１０は、ニーズに応じて、または池４（養魚池、湖など）の面積に合わせて適切なサイズおよび形状で設計することができる。また、上方に載置する太陽光発電装置３の重量に合わせて接合柱１３の数および位置を設計することができる。
【００２３】
本発明の環状浮体２は、廃タイヤを再利用するため、循環経済効果を得ることができる。前記環状浮体２は、中央の嵌め込み孔に接合柱１３を嵌め込むと組み付けることができるため、組み立てが簡単である。本発明は、同じ接合柱１３を複数の環状浮体２に垂直に設置することにより、鉛直方向の浮力を形成し、載置枠１と水面４２との間に従来のブイを水平に並べて形成した水平方向の浮力方式よりもはるかに大きい間隔距離を持たせてあり、一部の日光が水面４２を照らすことができる。同時に、図３に示すように、水面４２の上方の換気を良くすることで、水域４１に溶存酸素量を持たせ、水域４１に良好な自然環境を有させ、水産養殖に有利になる。また各接合柱１３が間隔を有することで、各垂直に並べられた環状浮体２の間に水４１が流れる間隔を持たせることができる。
【００２４】
本発明の環状浮体２は、ゴム材質を用いており、耐侯性に優れ、従来の硬くて割れやすいブイよりも寿命が長い。また本発明は鉛直方向の浮力設計を採用しており、調整可能性が大きく、環状浮体２の寸法または数によって架台１０の支持浮力を調整できる。また本発明は、載置枠１の調整部１４に流体または他の物体を充填する方法で架台の高さを調整できる。図３に示すように、前記調整部１４の下部が水域４１内にあり、充填口１４４から気体を充填し、収容室１４３に気体を充填すれば、より大きな浮力を有し、架台を上昇させ、水面４２からの換気可能な距離を大きくすることができる。
【００２５】
図４を参照する。台風が襲来した時は、調整部１４の収容室１４３の気体を放出して架台１０の浮力を減少させ、水面４２に近づけるように位置を下げて、架台１０の載置枠１と水面４２との間に流れる風量を減らすことで、大量の強風が下から上に吹きて架台を不安定にしたり、さらには吹き飛ばしたりする事態を防ぐことができる。
【００２６】
本発明は寒流が襲来した時も、調整部１４を介して架台１０を水面４２に近づけるように下げることができるので、前記架台１０の上方にある太陽光発電装置３は遮蔽や防寒効果を奏することができる。また本発明の架台１０の調整部１４は、非空気充填式であってもよく、調整部１４内に水またはその他の重量物を収容できる。そのため、調整部１４の収容室１４３内に重量物（水など）を収容しない時は、架台１０の重量を減らすことができ、その結果水面４２の上に浮かぶことができ、水面４２から適切な換気距離を確保できる。また図５に示すように、本発明は、充填口１４４から重量物１４５（水など）を収容室１４３内に充填することで架台１０の重量を変化させることができる。これにより、架台１０と水面４２との距離を縮まり、重量物を充填する方法により架台１０と水面４２との間隔を容易に調整することができる。また、本発明の調整部１４は下向きの圧力を有し、かつ環状浮体２が上向きの浮力を有するため、架台１０の高さおよび浮上安定性をより安定的に調整することができる。
【００２７】
本発明の水中の各環状浮体２の間には、図３に示すように人工礁を形成することができる。これは、水中の藻類および様々な微生物の成長に有利であり、水産養殖および水産経済に役立つ。干ばつにより池４の水が乾いた時前記架台１０は環状浮体２により着地（図示せず）でき、環状浮体２は緩衝装置となるため、ソフトランディングし、架台１０および太陽光発電装置への大規模な振動や変形による損傷を避けることができる。
【実施例２】
【００２８】
本発明の実施例２については、図６から図８を参照する。本発明の実施例２は実施例１と類似する。その相違点は、太陽光発電装置３を載置できる複数の架台１０と、複数の連結枠５とを含むことである。図７は４つの架台１０と５つの連結枠５の組み合わせを示す。前記架台１０の載置枠１は、水平方向の硬質外枠部１１を備える。本実施例の外枠部１１は四角形であり、連結枠５は、水平方向に２つの架台１０間に設けられ、間隔をあけた２つの架台１０をつながるために用いられ、前記連結枠５が架台１０にほぼ対応する領域を持ち、２本の平行な連結杆５１を備える。前記連結杆５１の両端に各々２つの架台１０の外枠部１１と連結する接合部５１１を有し、補強効果を奏するように、２本の連結杆５１間に結合杆５２を設け、かつ前記連結枠５の上方に太陽光発電装置（図示せず）を設けることができる。
【００２９】
本発明は、発電需要および水域の面積に応じて、連結枠５により複数の架台１０を結合してアレイ構造を形成することができる。複数の架台１００および複数の連結枠５から成る格子状のアレイ構造を形成して水面４２に浮かぶことで、各架台１０の安定性および耐波性を大幅に向上できる。本実施例の４つの架台１０を５つの連結枠５と結合すると、水面４２に浮かぶ架台１０の面積の約９倍を形成できるため、単一の架台１０より優れた安定性を持ち、各架台１０にソーラーパネルを備えた太陽光発電装置３を設置することができる。
【００３０】
図８を参照する。本発明は、架台１０の載置枠１および連結枠５上に水平に配置することができる網体をさらに含む。網体６は、鳥類が水域生物を食べるのを防ぐ役目を果たすことができ、また鳥類が病原菌を拡散させて水域生物に害を及ぼすのを防ぐこともできる。前記網体６は安全網を形成し、保守員が載置枠または連結枠上に立って太陽光発電装置を保守する時に転落を防止することで、安全性を向上することができる。
【実施例３】
【００３１】
本発明の実施例３については図９および図１０を参照する。前記実施例３は実施例２と類似する。その相違点は、架台１０の載置枠１の外枠部１１が正六角形であることである。前記連結枠７は、架台１０の載置枠１の外枠部１１形状に対応する正六角形枠部７１を備え、中央に補強用の連結杆７２が設けられ、前記連結枠７の上にも太陽光発電装置（図示せず）を設置することできる。
【００３２】
本実施例は、発電需要および水域の面積に応じて、連結枠７により複数の架台１０を結合させることができる。前記連結枠７の六角形フレーム部７１の一側は、緊締具により架台１０の外枠部１１の一辺と結合することができる。前記連結枠７の六角形フレーム部７１の他の非隣接辺が他の架台の載置枠１の外枠部１１の他の辺と連結し、また複数の架台１０および複数の連結枠７から成るハニカム状のアレイ構造を形成して水域４１に浮かぶことができるため、ハニカム設計により受ける力を分散して各架台１０の安定性および耐波性を大幅に向上でき、単一の架台１０より優れた安定性を持つことができる。図１０に示すように、本発明は、複数の結合杆７３をさらに含む。結合杆７３は、結合杆７３のアレイ構造が完全な四角形体を形成するように、すなわち六角形のみのアレイの組み合わせより優れた安定性および質感を有することができるように、アレイ構造の周囲に配置されることにより、アレイ構造の周辺位置への保守点検用通路（図示せず）の設置を容易にする。
【実施例４】
【００３３】
本発明の実施例４については図１１から図１７を参照する。前記実施例４は、実施例１の形態と類似する、載置枠の好ましい組み合わせの１つを示す。前記載置枠１の外枠部１１は、複数の横枠体１１１を備え、各横枠体１１１および連結杆１２の端部に各々嵌め込み孔１１２、１２１を備え、また複数の連結部材８Ａ、８Ｂを含む。前記接合柱１３の上にネジ部１３１が設けられ、本実施例の連結部材８Ａが接合柱１３と連結杆１２を接合するために用いられ、前記連結部材８Ｂが横枠体１１１と連結杆１２と接合柱１３を接合するために用いられる。前記連結部材８Ａ、８Ｂは金属製であってよく、１つの組み付け部８１と、組み付け部８１からから径方向に沿って放射状に延びる４個の挿着部８２とを備える。前記組み付け部８１は上下に貫通するネジ穴８１１が設けられ、本実施例の連結部材８Ａの挿着部８２の断面は矩形であり、表面が高分子材料の被覆層８３で覆われており、挿着部８２に内方に凹入した位置決め溝８４が設けられている。
【００３４】
本発明の連結部材８Ａ、８Ｂのネジ穴８１１は、ネジ部１３１のある接合柱１３を螺合でき、接合柱１３と連結部材８Ａ、８Ｂの組み立て高さを調整できる。前記枠体１１１および連結杆１２の嵌め込み孔１１２、１２１は各々連結部材８Ｂ、８Ａの挿着部８２に嵌合することができる。図１２、図１３に示すように、嵌め込み孔１２１は連結部材８Ａの挿着部８２に嵌合して組み立てることができ、前記高分子材料の被覆層８３を介して好ましい組立の密着性を提供できる。前記被覆層８３は、水が挿着部８２に直接接触することによって電位差が生じ、金属製の連結杆１２と金属製の連結部材８Ａが急速に腐食するのを防ぐことができる。本発明は、油圧工具またはその他の工具により、連結杆１２を位置決め溝８４の位置において位置決め溝８４に凹入させて結合できるため、連結杆１２と連結部材８Ａが分離せずに済み、組立性を好ましく向上させる。また、前記構造に組付け孔を開ける必要がないため、組付け孔の位置の腐食や損傷を防止できる。
【００３５】
図１６、図１７を参照する。本発明の架台１０の上に太陽光発電装置３が設置される場合、連結部材８Ａ、８Ｂにおいて接合柱１３の組み立ての高さを調整することができるため、好ましい組み付け性を持たせることができる。
【００３６】
以上から、本発明は浮体式太陽光発電設備用架台装置の浮上安定性および適用性を向上させることができる。前記の実施例は、本発明の一例であり、本発明に限定されるものではない。本発明の精神に基づいて加えられる均等の範囲内での改変も本発明の範囲内に含まれる。
【００３７】
なお、実施例を前述の通り開示したが、本発明の精神を逸脱しない範囲内で多くの修正および変更を施し得るのはもちろんである。本発明の範囲は特許請求の範囲に限定される。
【符号の説明】
【００３８】
１０    ・・・架台（浮体式太陽光発電設備用架台装置）
１      ・・・載置枠
１１    ・・・外枠部
１１１  ・・・横枠体
１１２  ・・・嵌め込み孔
１１４  ・・・嵌め込み孔
１２    ・・・連結杆
１２１  ・・・嵌め込み孔
１３    ・・・接合柱
１３１  ・・・ネジ部
１４    ・・・調整部
１４１  ・・・柱体
１４２  ・・・中空体
１４３  ・・・収容室
１４４  ・・・充填口
１４５  ・・・重量物
２      ・・・環状浮体
２１    ・・・嵌め込み孔
３      ・・・太陽光発電装置
４      ・・・池
４１    ・・・水域
４２    ・・・水面
５      ・・・連結枠
５１    ・・・連結杆
５１１  ・・・接合部
５２    ・・・結合杆
６      ・・・網体
７      ・・・連結枠
７１    ・・・正六角形フレーム部
７２    ・・・連結杆
７３    ・・・結合杆
８１    ・・・組み付け部
８１１  ・・・ネジ穴
８２    ・・・挿着部
８３    ・・・被覆層
８４    ・・・位置決め溝
８Ａ    ・・・連結部材
８Ｂ    ・・・連結部材。
【図１】
2021514888.tif 000003
【図２】
2021514888.tif 000004
【図３】
2021514888.tif 000005
【図４】
2021514888.tif 000006
【図５】
2021514888.tif 000007
【図６】
2021514888.tif 000008
【図７】
2021514888.tif 000009
【図８】
2021514888.tif 000010
【図９】
2021514888.tif 000011
【図１０】
2021514888.tif 000012
【図１１】
2021514888.tif 000013
【図１２】
2021514888.tif 000014
【図１３】
2021514888.tif 000015
【図１４】
2021514888.tif 000016
【図１５】
2021514888.tif 000017
【図１６】
2021514888.tif 000018
【図１７】
2021514888.tif 000019
【国際調査報告】
2021514888.tif 000020
2021514888.tif 000021
2021514888.tif 000022
2021514888.tif 000023